(57)【要約】【課題】排除券集積装置に集積される排除券の中の偽券と判別された紙葉類を区別するため、当該紙葉類に排除券情報を印刷したラベルを貼り付けることのできる紙葉類処理装置を提供する。【解決手段】この紙葉類処理装置は、偽券と判別された紙葉類が排除券搬送路を経て排除券集積装置に集積される際、当該排除券搬送路にラベル貼付装置を配置し、前記紙葉類処理装置によって偽券と判別された紙葉類の後端に前記ラベル貼付装置によって排除券情報を印刷したラベルを貼り付け、排除券集積装置に集積する。このようにすることによって、排除券集積装置に集積された他の理由によって排除された排除券と偽券と判別された排除券が区別できるようにする。【選択図】図１
2009289013.tif 000002
【特許請求の範囲】
【請求項１】
搬送される紙葉類を判別する紙葉類判別装置と、その紙葉類判別装置の判別結果に基づいて区部処理する紙葉類処理装置であって、
前記紙葉類判別装置によって正券又は損券と判別された紙葉類を集積する正券集積装置又は損券集積装置と、
前記紙葉類判別装置によって偽券と判別された紙葉類を搬送する排除券搬送路と、
この排除券搬送路に配置され、前記紙葉類処理装置によって偽券と判別された紙葉類に当該偽券と判別された紙葉類の排除券情報を印刷したラベルを貼り付けるラベル貼付装置と、
このラベル貼付装置によってラベルが貼り付けられた紙葉類を集積する排除券集積装置と、
を備えたことを特徴とする紙葉類処理装置。
【請求項２】
前記ラベル貼付装置は、
一方の面に印刷面を有し、他方の面に接着糊を塗布したロール状のテープと、
このロール状テープを取り付けるテープ送り装置と、
このテープ送り装置によって送られたテープを検知するテープ検知手段と、
テープ送り装置によって送られたテープに前記紙葉類判別装置によって判別された排除券情報を印刷する印刷手段と、
この印刷手段によって印刷されたテープを搬送する搬送手段と、
この搬送手段によって搬送されたテープを所定の長さにカットして貼付ラベルを形成するカッタと、
このカッタによって形成されたラベルを偽券と判別された紙葉類に貼り付ける貼付ローラと、を備え、
前記偽券と判別された紙葉類の後端が前記貼付ローラによる貼付位置に到達したとき、前記貼付ローラを前記排除券搬送路に向かって降下し、当該紙葉類の所定の位置にラベルを貼り付けるラベル貼付制御手段と、
を備えたことを特徴とする請求項１記載の紙葉類処理装置。
【請求項３】
搬送される紙葉類を判別する紙葉類判別装置と、その紙葉類判別装置の判別結果に基づいて区部処理する紙葉類処理装置であって、
前記紙葉類判別装置によって正券又は損券と判別された紙葉類を集積する正券集積装置又は損券集積装置と、
前記紙葉類判別装置によって偽券と判別された紙葉類を搬送する排除券搬送路と、
この排除券搬送路に配置され、前記紙葉類処理装置によって偽券と判別された紙葉類の前又は後ろに当該偽券と判別された紙葉類の排除券情報を印刷したカードを挿入するカード挿入装置と、
このカード挿入装置から排出されたカード及偽券と判別された紙葉類を共に集積する排除券集積装置と、
を備えたことを特徴とする紙葉類処理装置。
【請求項４】
前記カード挿入装置は、
印刷するカードを供給するカード供給部と、
このカード供給部から供給されたカードを取出す取出部と、
この取出部から取り出されたカードを搬送する搬送路と、
この搬送路上を搬送されるカードの位置を検知するカード検知部と、
搬送されるカードに印刷する印刷部と、
この印刷部で印刷されたカードを排除券搬送路に送り出すカード送出部と、
を備え、
排除券搬送路に前記偽券と判別された紙葉類が所定の位置に到達したとき、前記カード送出部からカードを送り出すカード制御手段と、
を備えたことを特徴とする請求項１記載の紙葉類処理装置。
【発明の詳細な説明】
【技術分野】
【０００１】
本発明は、有価証券などの紙葉類を処理する紙葉類処理装置に関し、特に、排除された紙葉類に排除情報を印刷した媒体を貼り付けて区分するようにした紙葉類処理装置に関する。
【背景技術】
【０００２】
有価証券などの紙葉類を処理する紙葉類処理装置は、供給された紙葉類を搬送し、紙葉類判別装置で紙葉類の真偽・正損などの判別を行い、その判別結果に基づいて当該紙葉類を正券、損券及び排除券に区分集積する。
【０００３】
上記正券又は損券と判別された紙葉類は、それぞれ正券集積装置又は損券集積装置の一時集積庫に集積される。これら、一時集積庫に集積された紙葉類は、当該一時集積庫下部に配置された収納庫（カセット）に集積されるか、又は当該一時集積庫に集積された紙葉類の枚数が１００枚（１００枚紙葉類）に到達するごとに施封装置に渡されて紙帯などの結束材で結束される。このようにして、１００枚紙葉類からなる把が形成されて、次の工程に渡される。
【０００４】
一方、排除券と判別された紙葉類には、上記紙葉類判別装置による判別の結果、切れ券、折れ券、２枚取り券など判別不可能であるために排除された紙葉類と、偽券と判別された紙葉類が含まれる（例えば、特許文献１参照。）。従来、これらの排除券を区分する方法として、処理単位（例えば、１０００枚）毎に当該紙葉類の最初又は最後にヘッダーカードを挿入し処理を行い、当該ヘッダーカードも排除券集積装置に集積することにより、少なくとも処理単位毎に排除券の区分を行っている。また、上記紙葉類判別装置によって偽券が検出された場合には、当該排除券の中に含まれる偽券の種類及び枚数を知ることは可能であった（例えば、特許文献１参照。）。
【特許文献１】特開２００７−３１０８０９号公報  （８−９頁、図３）
【発明の開示】
【発明が解決しようとする課題】
【０００５】
上述したように特許文献１記載の紙葉類処理装置では、排除券の中に偽券が含まれていることは知ることができるが、排除された紙葉類の中のどの紙葉類が偽券であるかを容易に知ることはできないという課題があった。
【０００６】
本発明は、上記課題解決するためになされたもので、排除券集積装置に集積される排除券の中の偽券と判別された紙葉類に判別内容を印刷したラベルを貼り付けて集積する紙葉類処理装置を提供することを目的とする。
【課題を解決するための手段】
【０００７】
上記目的を達成するために、本発明の請求項１記載の紙葉類処理装置は、搬送される紙葉類を判別する紙葉類判別装置と、その紙葉類判別装置の判別結果に基づいて区部処理する紙葉類処理装置であって、前記紙葉類判別装置によって正券又は損券と判別された紙葉類を集積する正券集積装置又は損券集積装置と、前記紙葉類判別装置によって偽券と判別された紙葉類を搬送する排除券搬送路と、この排除券搬送路に配置され、前記紙葉類処理装置によって偽券と判別された紙葉類に当該偽券と判別された紙葉類の排除券情報を印刷したラベルを貼り付けるラベル貼付装置と、このラベル貼付装置によってラベルが貼り付けられた紙葉類を集積する排除券集積装置と、を備えたことを特徴とする。
【０００８】
また、本発明の請求項３記載の紙葉類処理装置は、搬送される紙葉類を判別する紙葉類判別装置と、その紙葉類判別装置の判別結果に基づいて区部処理する紙葉類処理装置であって、前記紙葉類判別装置によって正券又は損券と判別された紙葉類を集積する正券集積装置又は損券集積装置と、前記紙葉類判別装置によって偽券と判別された紙葉類を搬送する排除券搬送路と、この排除券搬送路に配置され、前記紙葉類処理装置によって偽券と判別された紙葉類の前又は後ろに当該偽券と判別された紙葉類の排除券情報を印刷したカードを挿入するカード挿入装置と、このカード挿入装置から排出されたカード及偽券と判別された紙葉類を共に集積する排除券集積装置と、を備えたことを特徴とする。
【発明の効果】
【０００９】
本発明によれば、排除券集積装置に集積される排除券の中の偽券と判別された紙葉類ごとに排除券情報を印刷したラベルが貼り付けられるため、偽券の選別が容易になるだけでなく、その後の処理が容易になる。
【発明を実施するための最良の形態】
【００１０】
以下、図面を参照して本発明の実施例を説明する。
【実施例１】
【００１１】
図１は、本発明の実施例１による紙葉類処理装置１の概略構成を示すブロック図である。紙葉類処理装置１は、紙葉類Ｐを供給する供給部１０が設けられている。供給部１０には、バックアッププレート１１が設けられており、供給された紙葉類は、このバックアッププレート１１に載置される。バックアッププレート１１は、上下に移動可能に構成され、取出装置によって制御される。
【００１２】
取出装置（図示しない）は、バックアッププレート１１及び取出ロータ１２を駆動する駆動モータ（図示しない）を制御する。すなわち、バックアッププレート１１に載置された紙葉類の最上面の紙葉類Ｐを取出ロータ１２の取出位置まで上昇する。
【００１３】
取出ロータ１２は、バックアッププレート１１に載置された紙葉類の最上面の紙葉類Ｐから１枚ずつ取出して搬送路２０に供給する。
【００１４】
搬送路２０は、搬送位置に沿って配置された搬送ローラに掛け回された無端搬送ベルトを連結して構成され、供給部１０から取り出した紙葉類Ｐを搬送上流から搬送下流に向かって搬送する。この搬送路２０に沿って紙葉類判別装置３０が配置されている。この紙葉類判別装置３０は、搬送される紙葉類Ｐの券種判別、真偽判別（本物か偽物か判別する）、及び正損判別（正券か損券かを判別する）を行う。
【００１５】
この紙葉類判別装置３０の判別結果に基づいて、当該紙葉類は、正券集積装置４０、損券集積装置４１又は排除券集積装置４２に区分されて集積される。正券集積装置４０には、真券で再流通可能な紙葉類（正券）が集積され、損券集積装置には、真券で再流通不可能な紙葉類（損券）が集積される。また、排除券集積装置４２には、搬送異常券又は２枚取券と判別された排除券及び偽券と判別された排除券が含まれる。
【００１６】
正券集積装置４０又は損券集積装置４１に集積された紙葉類は、所定枚数（例えば、１００枚）に到達すると、下部に配置された収納庫（カセット）又は図示しない施封装置によって施封されて把が形成されて排出される。
【００１７】
上記搬送異常券や２枚取券からなる排除券は、紙葉類処理装置１側の問題によって排除券となったものであるから、再供給して再区分することが可能である。一方、偽券と判別された排除券は、紙葉類側に問題があるため再供給しても再度排除券になる。
【００１８】
また、偽券の場合には、入手経路等の確認が必要になる場合もあり、他の排除券から抜き取り、他の排除券と区別した管理が必要になる場合がある。
【００１９】
そこで、本発明では、紙葉類処理装置によって偽券と判別された紙葉類を他の排除券と区別するために偽券にラベルを貼って排除券集積装置４２に集積できるようにした。以下、その方法を説明する。
【００２０】
図２は、ラベル用テープ５１である。図３は、ラベル貼付装置５０の概略断面図である。ラベル貼付装置５０は、ラベル用テープ５１、テープ送り装置５２、プリンタ５３、カッタ５４、貼付ローラ５５及びテープ搬送路を備えている。
【００２１】
ラベル用テープ５１は、一方の面（例えば表面）はプリンタ５３による印刷可能な印刷面を有し、他方の面（例えば裏面）は接着面を有して構成される。なお、その接着面は、全面塗布された接着面であっても、一部分のみ塗布された接着面であってもよい。図２は、貼り付けるラベルの大きさに合わせて一部分のみ塗布された接着面５１ａを有する場合を示している。このように構成されたラベル用テープ５１は、テープ送り装置５２に装填される。
【００２２】
テープ送り装置５２は、ラベル用テープ５１を取り付ける軸５２ａ、このラベル用テープ５１のたるみを取るワインダ５２などを有しているが、これらは公開されている技術で達成することができるのでその説明を省略する。
【００２３】
図３は、このようにしてテープ送り装置５２に組み込まれたラベル用テープ５１が送られ、センサＳ１（テープ検知手段）によってその先端が検知され、プリンタ５３による印刷開始位置で停止して印刷開始指示を待っている状態を示す図である。
【００２４】
紙葉類処理装置１の紙葉類判別装置３０によって偽券と判別された紙葉類Ｐ１は、排除券集積装置４２に搬送される。この紙葉類Ｐ１が、排除券集積装置４２の前に配置されたラベル貼付装置５０に到達すると、センサＳ２によって検知され、この紙葉類Ｐ１の搬送に合わせてラベル用テープ５１がこのラベル用テープ５１を搬送する搬送路５６（搬送手段）によってさらに送られる。この際、当該紙葉類Ｐ１に紙葉類判別装置３０で判別された紙葉類Ｐ１の排除券情報３１がプリンタ５３によって印刷される。
【００２５】
図４は、紙葉類Ｐ１の後端及びラベル用テープ５１の先端が貼付ローラ５５ａ、５５ｂに到達した状態を示す。
【００２６】
図５は、図４の状態からさらに、貼付ローラ５５ａが搬送路２２に向かって降下し、紙葉類Ｐ１及びラベル用テープ５１の先端を貼付ローラ５５ａ、５５ｂで挟持さする。このようにして挟持されたラベル用テープ５１は、カッタ５４によって切断される。図は正にこのラベル用テープ５１が切断された状態を示す。
【００２７】
図６は、貼付ローラ５５ａ、５５ｂによってさらに送られながら当該紙葉類Ｐ１に切断されたラベル５１ａが貼り付けられ送られた様態を示す。
【００２８】
図７は、ラベル５１ａが貼り付けられ排除券集積装置４２に他の排除券と共に集積された状態を示す。
【００２９】
以上説明したように本発明の実施例によれば、排除券集積装置４２に集積された排除券の中の偽券にラベル５１ａが貼り付けられて集積される。
【実施例２】
【００３０】
図８は、本発明の実施例２に係るカード挿入装置７０を示す図であるである。このカード挿入装置７０は、ラベル貼付装置５０を配置した位置にラベル貼付装置５０の換わりに配置される。図示した一例は、３種類の異なるカード挿入が可能な場合を示したものであが、３種類のカード挿入の基本的な構成は共通であるため、その１種類のカードが挿入の場合に付いて以下に示す。
【００３１】
このカード挿入装置７０は、印刷するカード（例えばカードＣ１）を供給する供給部７３ａと、当該供給部７３ａから供給されたカードを取出す取出部７３ｂと、この取出部７３ｂで取り出されたカードに印刷する印刷部５３と、この印刷部５３で印刷されたカードを搬送路２２に繰り出す搬送路７４を有して構成される。
【００３２】
印刷部５３は、排除券情報３１を印刷するプリンタで構成され、実施例１で説明したラベル５１ａを印刷する換わりに当該カードに印刷するものである。このカード挿入装置７０を用いた場合は、ラベル用テープ送り機構５２、貼付ローラ５５ａ、５５ｂなどの貼付機構などを用いる必要がないため、機構が簡単になること、処理する券種に応じてカードの色、大きさなどを選択するのが容易であることなどから紙葉類処理装置の利用形態によって選択の幅が広がる効果がある。
【図面の簡単な説明】
【００３３】
【図１】本発明の実施例１によるラベル貼付装置を備えた紙葉類処理装置１の概略構成図。
【図２】図１に示すラベル貼付装置に使用されるラベル用テープを示す図。
【図３】ラベル貼付装置の概略断面図。
【図４】図３のラベル貼付装置において、ラベル用テープの先端が貼付ローラに到達した状態を示す図。
【図５】図４においてラベル用テープが切断されラベルが生成された状態を示す図。
【図６】図５で生成されたラベルがさらに搬送される状態を示す図。
【図７】ラベルが貼り付けられ排除券集積装置に集積された状態を示す図。
【図８】本発明の第２の実施例によるカード挿入装置。
【図９】図８によりカードが挿入されて排除券集積装置に集積された状態を示す。
【符号の説明】
【００３４】
１  紙葉類処理装置
１０  供給部
１１  取出装置
１２  取出ロータ
２０、２２  搬送路
３０  紙葉類判別装置
４０、４１  集積装置
４２  排除券集積装置
５０  ラベル貼付装置
５１  ラベル用テープ
５２  テープ送り装置
【図１】
2009289013.tif 000003
【図２】
2009289013.tif 000004
【図３】
2009289013.tif 000005
【図４】
2009289013.tif 000006
【図５】
2009289013.tif 000007
【図６】
2009289013.tif 000008
【図７】
2009289013.tif 000009
【図８】
2009289013.tif 000010
【図９】
2009289013.tif 000011